(57)【要約】【課題】  複数のアプリケーションの夫々により好適に記録や再生を行う。【解決手段】  情報記録媒体（１００）は、所定のファイルシステム（ＵＤＦ）に準拠した情報記録媒体であって、第１アプリケーションにより記録及び再生が行われる第１ファイルを記録するための論理的な第１記録領域（１１０）と、第１アプリケーションとは異なる第２アプリケーションにより記録及び再生が行われる第２ファイルを記録するための論理的な第２記録領域（２１０）とを備える。【選択図】  図２
2005353216.tif 000002
【特許請求の範囲】
【請求項１】
所定のファイルシステムに準拠した情報記録媒体であって、
第１アプリケーションにより記録及び再生が行われる第１ファイルを記録するための論理的な第１記録領域と、
前記第１アプリケーションとは異なる第２アプリケーションにより記録及び再生が行われる第２ファイルを記録するための論理的な第２記録領域と
を備えることを特徴とする情報記録媒体。
【請求項２】
前記第２記録領域は、前記第１記録領域の中に配置されることを特徴とする請求項１に記載の情報記録媒体。
【請求項３】
前記第２記録領域は、前記第１アプリケーションに対しては使用済領域であることを特徴とする請求項１又は２に記載の情報記録媒体。
【請求項４】
前記第１アプリケーションは、前記所定のファイルシステムにおける記録及び再生全般の用途に用いられる汎用アプリケーションであり、
前記第２アプリケーションは、前記所定のファイルシステムにおける特定の用途に用いられる専用アプリケーションであることを特徴とする請求項１から３のいずれか一項に記載の情報記録媒体。
【請求項５】
前記第１ファイルは、前記第１記録領域にのみ記録され、前記第２ファイルは、前記第２記録領域にのみ記録されることを特徴とする請求項１から４のいずれか一項に記載の情報記録媒体。
【請求項６】
前記第１記録領域には、前記所定のファイルシステムに準拠したデータ構造を有するように前記第１ファイルが記録され、前記第２記録領域には、前記所定のファイルシステムに準拠したデータ構造を有するように前記第２ファイルが記録されることを特徴とする請求項１から５のいずれか一項に記載の情報記録媒体。
【請求項７】
前記第１記録領域には、前記所定のファイルシステムに準拠したデータ構造を有するように前記第１ファイルが記録され、前記第２記録領域には、前記所定のファイルシステムに準拠したデータ構造のうち少なくとも一部のデータ構造を有するように前記第２ファイルが記録されることを特徴とする請求項１から５のいずれか一項に記載の情報記録媒体。
【請求項８】
前記第２記録領域には、前記第２アプリケーションにより使用され且つ前記第２ファイルを管理するための管理情報が更に記録されることを特徴とする請求項１から７のいずれか一項に記載の情報記録媒体
【請求項９】
当該情報記録媒体は、少なくとも二つの前記第２記録領域を備えており、
前記第２ファイルは、前記少なくとも二つの第２記録領域のうち一の第２記録領域に記録され、前記第２アプリケーションにより使用される前記管理情報は、前記一の第２記録領域とは異なる他の第２記録領域に記録されることを特徴とする請求項８に記載の情報記録媒体。
【請求項１０】
前記第２記録領域には、当該情報記録媒体の記録領域全体に対する前記第２記録領域の配置及びサイズの夫々を示す配置情報が更に記録されることを特徴とする請求項１から９のいずれか一項に記載の情報記録媒体。
【請求項１１】
前記第１記録領域には、前記第２記録領域の特定のアドレス位置を示すポインタ情報が更に記録されることを特徴とする請求項１から１０のいずれか一項に記載の情報記録媒体。
【請求項１２】
前記第２記録領域には、前記第１記録領域の特定のアドレス位置を示すポインタ情報が更に記録されることを特徴とする請求項１から１１のいずれか一項に記載の情報記録媒体。
【請求項１３】
前記第２記録領域には、前記第２ファイルの属性、前記第２ファイルを記録又は再生する際の転送レート、前記第２ファイルを構成するユニットの最小サイズ及び前記第２ファイルのシーク速度の少なくとも一つを示す属性情報が更に記録されていることを特徴とする請求項１から１２のいずれか一項に記載の情報記録媒体。
【請求項１４】
前記第２記録領域には、前記第２アプリケーションを特定するためのアプリケーション情報が更に記録されることを特徴とする請求項１から１３のいずれか一項に記載の情報記録媒体。
【請求項１５】
前記第２記録領域は、前記第１アプリケーションに対しては読取専用な記録領域であることを特徴とする請求項１から１４のいずれか一項に記載の情報記録媒体。
【請求項１６】
前記第２記録領域を複数備えることを特徴とする請求項１から１５のいずれか一項に記載の情報記録媒体。
【請求項１７】
前記複数の第２記録領域の夫々は、該夫々の第２記録領域を識別するための識別番号を有することを特徴とする請求項１６に記載の情報記録媒体。
【請求項１８】
請求項１から１７のいずれか一項に記載の情報記録媒体に対して記録動作を行なう情報記録装置であって、
前記第１アプリケーションに従って前記第１ファイルを前記第１記録領域に記録する第１記録手段と、
前記第２アプリケーションに従って前記第２ファイルを前記第２記録領域に記録する第２記録手段と
を備えることを特徴とする情報記録装置。
【請求項１９】
前記第１記録領域の少なくとも一部を前記第２ファイルが記録されるための記録領域として設定することで、前記第２記録領域を生成する生成手段を更に備えることを特徴とする請求項１８に記載の情報記録装置。
【請求項２０】
前記第１記録領域には、当該情報記録媒体の記録領域全体に対する前記第２記録領域の配置及びサイズの少なくとも一方を示す配置情報が記録されており、
前記第２記録領域が破壊された場合に、前記配置情報に基づいて、前記第２記録領域を再構築する再構築手段を更に備えることを特徴とする請求項１８又は１９に記載の情報記録装置。
【請求項２１】
請求項１から１７のいずれか一項に記載の情報記録媒体に対して記録動作を行なう情報記録装置であって、
前記第１ファイルを前記第１記録領域に記録する第１記録手段と、
前記第１アプリケーションに従って前記第１ファイルを記録するように前記第１記録手段を制御する制御手段と
を備えることを特徴とする情報記録装置。
【請求項２２】
請求項１から１７のいずれか一項に記載の情報記録媒体に対して記録動作を行なう情報記録装置であって、
前記第２ファイルを前記第２記録領域に記録する第２記録手段と
前記第２アプリケーションに従って前記第２ファイルを記録するように前記第２記録手段を制御する制御手段と
を備えることを特徴とする情報記録装置。
【請求項２３】
請求項１から１７のいずれか一項に記載の情報記録媒体に対して記録動作を行なう情報記録方法であって、
前記第１アプリケーションに従って前記第１ファイルを前記第１記録領域に記録する第１記録工程と、
前記第２アプリケーションに従って前記第２ファイルを前記第２記録領域に記録する第２記録工程と
を備えることを特徴とする情報記録方法。
【請求項２４】
請求項１から１７のいずれか一項に記載の情報記録媒体に対して再生動作を行なう情報再生装置であって、
前記第１アプリケーションに従って、前記第１記録領域に記録された前記第１ファイルを読み取り且つ再生する第１再生手段と、
前記第２アプリケーションに従って、前記第２記録領域に記録された前記第２ファイルを読み取り且つ再生する第２再生手段と
を備えることを特徴とする情報再生装置。
【請求項２５】
前記第１記録領域には、前記所定のファイルシステムに準拠したデータ構造を有するように前記第１ファイルが記録されており、前記第２記録領域には、前記所定のファイルシステムに準拠したデータ構造を有するように前記第２ファイルが記録されるており、
前記第１再生手段は、前記第２記録領域に記録された前記第２ファイルを読み取ることを特徴とする請求項２４に記載の情報再生装置。
【請求項２６】
請求項１から１７のいずれか一項に記載の情報記録媒体に対して再生動作を行なう情報再生装置であって、
前記第１記録領域に記録された前記第１ファイルを読み取り且つ再生する第１再生手段と、
前記第１アプリケーションに従って前記第１ファイルを再生するように前記第１記録手段を制御する制御手段と
を備えることを特徴とする情報再生装置。
【請求項２７】
請求項１から１７のいずれか一項に記載の情報記録媒体に対して再生動作を行なう情報再生装置であって、
前記第２記録領域に記録された前記第２ファイルを読み取り且つ再生する第２再生手段と、
前記第２アプリケーションに従って前記第２ファイルを再生するように前記第２再生手段を制御する制御手段と
を備えることを特徴とする情報再生装置。
【請求項２８】
請求項１から１７のいずれか一項に記載の情報記録媒体に対して再生動作を行う情報再生方法であって、
前記第１アプリケーションに従って、前記第１記録領域に記録された前記第１ファイルを読み取り且つ再生する第１再生工程と、
前記第２アプリケーションに従って、前記第２記録領域に記録された前記第２ファイルを読取且つ再生する第２再生工程と
を備えることを特徴とする情報再生方法。
【請求項２９】
請求項１８から２２のいずれか一項に記載の情報記録装置に備えられたコンピュータを制御する記録制御用のコンピュータプログラムであって、該コンピュータを、前記第１記録手段及び前記第２記録手段のうち少なくとも一部として機能させることを特徴とするコンピュータプログラム。
【請求項３０】
請求項２４から２７のいずれか一項に記載の情報再生装置に備えられたコンピュータを制御する再生制御用のコンピュータプログラムであって、該コンピュータを、前記第１再生手段及び前記第２再生手段のうち少なくとも一部として機能させることを特徴とするコンピュータプログラム。
【請求項３１】
所定のファイルシステムに準拠した制御信号を含むデータ構造であって、
第１アプリケーションにより記録及び再生が行われる第１ファイルを記録するための論理的な第１記録領域と、
前記第１アプリケーションとは異なる第２アプリケーションにより記録及び再生が行われる第２ファイルを記録するための論理的な第２記録領域と
を備えることを特徴とする制御信号を含むデータ構造。
【発明の詳細な説明】
【技術分野】
【０００１】
本発明は、例えばＤＶＤ等の情報記録媒体、例えばＤＶＤレコーダ等の情報記録装置及び方法、例えばＤＶＤプレーヤ等の情報再生装置及び方法、コンピュータをこのような情報記録装置として機能させるコンピュータプログラム、並びに制御信号を含むデータ構造の技術分野に属する。
【背景技術】
【０００２】
現在、一般的な家庭においてパーソナルコンピュータ（ＰＣ）が広く普及しており、各種用途に用いられている。また、テレビやＤＶＤプレーヤ等のＡＶ機器を含む家電製品も一般的な家庭において広く普及している。
【０００３】
他方、各種情報記録媒体に記録されるファイルのデータ構造を統一すべく、例えばＤＶＤ等の光ディスクの分野においては、ＯＳＴＡ（Optical Storage Technology Association）によってＵＤＦ（Universal Disk Format）なる規格が提唱されている。このＵＤＦは、ＯＳ（Operating System）に依存することのないディスクフォーマットである。このＵＤＦなる統一的なディスクフォーマットにより、あるＤＶＤ等に対してＰＣを用いて各種ファイルを記録したり再生したりすることができ、また同じＤＶＤ等に対して家電製品を用いて各種ファイルを記録したり再生したりすることができる。
【発明の開示】
【発明が解決しようとする課題】
【０００４】
しかしながら、ＰＣと家電製品とは本来動作しているアプリケーションが異なるため、例えば一枚の記録媒体をＰＣ及び家電製品の夫々で利用しようとすると、様々な問題が生ずるおそれがある。例えば、家電製品であるＤＶＤレコーダによれば、各種テレビ番組や映画等が、ＤＶＤレコーダのアプリケーションに準拠した形式のファイルとして記録され、他方ＰＣによれば、ワープロソフト等に用いられる一般的なファイル（例えば、テキストファイル等）が記録される。即ち、一枚の記録媒体に、ＰＣ及び家電製品双方のアプリケーションに用いられるファイルが混在してしまう。この場合、ＰＣは主としてファイルのコピー、移動、削除或いは改変等のファイル操作を行うことができるため、これらのファイル操作によっては、ＤＶＤレコーダのアプリケーションに準拠した形式のファイルを再生することができなくなってしまうという技術的な問題点を有している。例えばＤＶＤレコーダ等のアプリケーションに準拠したファイルは、例えばＤＶＤビデオ等の規格により、ＰＣにより記録されるファイルと比較して、より厳しい各種制約（例えば、ファイル名やファイルの記録位置やファイルを構成するユニットの単位等）を満たしていなければならない。従って、これら各種制約を満たして記録されているファイルに対して安易にＰＣからのファイル操作を行うと、これらのファイルを用いてテレビ番組や映画等を再生することができなくなってしまうという技術的な問題点を有している。
【０００５】
このように様々なアプリケーションに準拠した複数のファイルが一枚のＤＶＤに混在して記録されると、単にＰＣ上にＤＶＤアプリケーションを実装する等のみでは、適切な再生動作や記録動作等を担保できないという技術的な問題点を有している。また、これらのファイル操作をＰＣより行わないようにユーザに指示することで、これらの不都合を回避できるとも考えられるが、ユーザフレンドリーなＰＣや家電製品が好まれるという消費市場の実体からすると、有効な解決手段であるとはいえない。
【０００６】
本発明は、例えば上述した従来の問題点に鑑みなされたものであり、例えば複数のアプリケーションの夫々により好適に記録や再生等することが可能な情報記録媒体、情報記録装置及び方法、情報再生装置及び方法、コンピュータをこのような情報記録装置や情報再生装置として機能させるコンピュータプログラム、並びに制御信号を含むデータ構造を提供することを課題とする。
【課題を解決するための手段】
【０００７】
上記課題を解決するために、請求項１に記載の情報記録媒体は、所定のファイルシステムに準拠した情報記録媒体であって、第１アプリケーションにより記録及び再生が行われる第１ファイルを記録するための論理的な第１記録領域と、前記第１アプリケーションとは異なる第２アプリケーションにより記録及び再生が行われる第２ファイルを記録するための論理的な第２記録領域とを備える。
【０００８】
上記課題を解決するために、請求項１８に記載の情報記録装置は、請求項１から１７のいずれか一項に記載の情報記録媒体に対して記録動作を行なう情報記録装置であって、前記第１アプリケーションに従って前記第１ファイルを前記第１記録領域に記録する第１記録手段と、前記第２アプリケーションに従って前記第２ファイルを前記第２記録領域に記録する第２記録手段とを備える。
【０００９】
上記課題を解決するために、請求項２３に記載の情報記録方法は、請求項１から１７のいずれか一項に記載の情報記録媒体に対して記録動作を行なう情報記録方法であって、前記第１アプリケーションに従って前記第１ファイルを前記第１記録領域に記録する第１記録工程と、前記第２アプリケーションに従って前記第２ファイルを前記第２記録領域に記録する第２記録工程とを備える。
【００１０】
上記課題を解決するために、請求項２４に記載の情報再生装置は、請求項１から１７のいずれか一項に記載の情報記録媒体に対して再生動作を行なう情報再生装置であって、前記第１アプリケーションに従って、前記第１記録領域に記録された前記第１ファイルを読み取り且つ再生する第１再生手段と、前記第２アプリケーションに従って、前記第２記録領域に記録された前記第２ファイルを読み取り且つ再生する第２再生手段とを備える。
【００１１】
上記課題を解決するために、請求項２８に記載の情報再生方法は、請求項１から１７のいずれか一項に記載の情報記録媒体に対して再生動作を行う情報再生方法であって、前記第１アプリケーションに従って、前記第１記録領域に記録された前記第１ファイルを読み取り且つ再生する第１再生工程と、前記第２アプリケーションに従って、前記第２記録領域に記録された前記第２ファイルを読取且つ再生する第２再生工程とを備える。
【００１２】
上記課題を解決するために、請求項２９に記載のコンピュータプログラムは、請求項１８から２２のいずれか一項に記載の情報記録装置に備えられたコンピュータを制御する記録制御用のコンピュータプログラムであって、該コンピュータを、前記第１記録手段及び前記第２記録手段のうち少なくとも一部として機能させる。
【００１３】
上記課題を解決するために、請求項３０に記載のコンピュータプログラムは、請求項２４から２７のいずれか一項に記載の情報再生装置に備えられたコンピュータを制御する再生制御用のコンピュータプログラムであって、該コンピュータを、前記第１再生手段及び前記第２再生手段のうち少なくとも一部として機能させる。
【００１４】
上記課題を解決するために、請求項３１に記載の制御信号を含むデータ構造は、所定のファイルシステムに準拠した制御信号を含むデータ構造であって、第１アプリケーションにより記録及び再生が行われる第１ファイルを記録するための論理的な第１記録領域と、前記第１アプリケーションとは異なる第２アプリケーションにより記録及び再生が行われる第２ファイルを記録するための論理的な第２記録領域とを備える。
【００１５】
本発明の作用及び他の利得は次に説明する実施の形態から明らかにされよう。
【発明を実施するための最良の形態】
【００１６】
以下、発明を実施するための最良の形態としての本発明の実施形態に係る情報記録媒体、情報記録装置及び方法、情報再生装置及び方法、コンピュータプログラム並びに制御信号を含むデータ構造について順に説明する。
【００１７】
（情報記録媒体の実施形態）
本発明の情報記録媒体に係る実施形態は、所定のファイルシステム（例えば、後述のＵＤＦ）に準拠した情報記録媒体であって、第１アプリケーションにより記録及び再生が行われる第１ファイルを記録するための論理的な第１記録領域（例えば、後述のメインパーティション）と、前記第１アプリケーションとは異なる第２アプリケーションにより記録及び再生が行われる第２ファイルを記録するための論理的な第２記録領域（例えば、後述のサブパーティション）とを備える。
【００１８】
本発明の情報記録媒体に係る実施形態によれば、第１記録領域には、第１アプリケーション（例えば、ＰＣ等に用いられる汎用アプリケーション）により第１ファイルが記録される。他方で、第１記録領域とは異なる（例えば、後述するように第１記録領域の一部の記録領域である）第２記録領域には、第２アプリケーション（例えば、ＤＶＤレコーダ等の家電製品に用いられる専用アプリケーション）により第２ファイルが記録される。即ち、異なる複数のアプリケーションの夫々に用いられるファイルの種類（或いは、用途）に応じて、別個の記録領域を有している。
【００１９】
従って、第１記録領域に記録される第１ファイルは、主として第１アプリケーションにより記録や再生が行われるため、第２アプリケーションによる記録や再生は原則として行われない。他方、第２記録領域に記録される第２ファイルは、主として第２アプリケーションにより記録や再生が行われるため、第１アプリケーションによる記録や再生は原則として行われない。このため、例えば第２アプリケーションの規格に準拠して記録された第２ファイルが、第１アプリケーションにより行われるファイル操作（例えば、移動や削除や改変等）によって、その規格に準拠しない形式となる不都合を抑制ないしはなくすことができる。同様に、例えば第１アプリケーションの規格に準拠して記録された第１ファイルが、第２アプリケーションにより行われるファイル操作（例えば、移動や削除や改変等）によって、その規格に準拠しない形式となる不都合を抑制ないしはなくすことができる。
【００２０】
このように、記録されるファイルの種類に応じて異なる記録領域を割り当てる（或いは、設ける）ことで、一枚の情報記録媒体に対して異なるアプリケーションの夫々によりファイルの記録がなされても、その記録動作やファイルの再生動作等において特段の問題は生じない。
【００２１】
以上の結果、本発明の情報記録媒体に係る実施形態によれば、複数の異なるアプリケーションの夫々により、一枚の情報記録媒体に対して好適にファイルの記録や再生を行うことが可能となる。
【００２２】
尚、本実施形態において、「第１記録領域」及び「第２記録領域」の夫々は、ファイルシステムに対して論理的な記録領域として割り当てられる。即ち、物理的には、単一の記録領域（例えば、後述のデータ記録エリアや複数の記録層を有する情報記録媒体であれば、夫々の記録層のデータ記録エリアの集合）を有していながらも、論理的には複数の記録領域を有する構造となっている。従って、物理的な記録領域の分割のように、他方の記録領域を認識することすらできないという事態も発生しないという利点を有している。
【００２３】
加えて、異なる記録領域が割り当てられることで、第１記録領域と第２記録領域との夫々に追記箇所を設けることができる。従って、より柔軟なファイルの記録が可能となる。
【００２４】
本発明の情報記録媒体に係る実施形態の一の態様は、前記第２記録領域は、前記第１記録領域の中に配置される。
【００２５】
この態様によれば、情報記録媒体の記録領域全体を占めてなる第１記録領域の一部に第２記録領域を設けることが可能となる。
【００２６】
本発明の情報記録媒体に係る実施形態の他の態様は、前記第２記録領域は、前記第１アプリケーションに対しては使用済領域である。
【００２７】
この態様によれば、第１記録領域と第２記録領域とが１つの情報記録媒体中に並存していても、第１アプリケーションが第２記録領域を使用済領域とみなすため、記録動作や再生動作の際に特段の支障は生じない。即ち、第２記録領域に対して第１アプリケーションが第１ファイルの記録等を行ったり第２ファイルのファイル操作等を行うという不都合を防ぐことができる。
【００２８】
尚、逆に第２記録領域の中に第１記録領域を配置するように構成してもよいし、或いは構成しなくともよい。また、第２記録領域の中に第１記録領域を配置した場合は、該第１記録領域は、第２アプリケーションに対しては使用済領域であることが好ましい。
【００２９】
本発明の情報記録媒体に係る実施形態の他の態様は、前記第１アプリケーションは、前記所定のファイルシステムにおける記録及び再生全般の用途に用いられる汎用アプリケーションであり、前記第２アプリケーションは、前記所定のファイルシステムにおける特定の用途に用いられる専用アプリケーションである。
【００３０】
この態様によれば、汎用アプリケーション（例えばＰＣ等に用いられるアプリケーションであって、具体的には例えばＯＳ（Operating System）等）と専用アプリケーション（例えば家電製品等に用いられる特殊用途のアプリケーションであって、具体的にはＤＶＤ−ｖｉｄｅｏアプリケーション等）との双方が扱うことができる情報記録媒体を実現することができる。
【００３１】
本発明の情報記録媒体に係る実施形態の他の態様は、前記第１ファイルは、前記第１記録領域にのみ記録され、前記第２ファイルは、前記第２記録領域にのみ記録される。
【００３２】
この態様によれば、第１アプリケーションにより第２ファイルが第１記録領域に記録等されることがなくなり、また第２アプリケーションにより第１ファイルが第２記録領域に記録等されることがなくなる。即ち、ファイルやアプリケーションの種類等に応じて、明確に第１記録領域と第２記録領域とを分けることができる。従って、複数の異なるアプリケーションの夫々により、一枚の情報記録媒体に対してより好適にファイルの記録や再生を行うことが可能となる。
【００３３】
本発明の情報記録媒体に係る実施形態の他の態様は、前記第１記録領域には、前記所定のファイルシステムに準拠したデータ構造を有するように前記第１ファイルが記録され、前記第２記録領域には、前記所定のファイルシステムに準拠したデータ構造を有するように前記第２ファイルが記録される。
【００３４】
この態様によれば、第１記録領域のデータ構造と第２記録領域とのデータ構造が同一であるため、例えば第１アプリケーションは第２ファイルを読み取る（即ち、認識する）ことが可能となる。他方、第２アプリケーションも第１ファイルを読み取る（認識する）ことが可能となる。
【００３５】
但し、あくまで第１ファイルは第１アプリケーションの規格に準拠しているため、実際に第２アプリケーションにより第１ファイルの記録や再生が行われることはない。また第２ファイルは第２アプリケーションの規格に準拠しているため、実際に第１アプリケーションにより第２ファイルの記録や再生が行われることはない。このため、第１ファイルと第２ファイルとのデータ構造が同一であっても、特段の問題は生じない。
【００３６】
本発明の情報記録媒体に係る実施形態の他の態様は、前記第１記録領域には、前記所定のファイルシステムに準拠したデータ構造を有するように前記第１ファイルが記録され、前記第２記録領域には、前記所定のファイルシステムに準拠したデータ構造のうち少なくとも一部のデータ構造（例えば、後述のサブセットデータ構造）を有するように前記第２ファイルが記録される。
【００３７】
この態様によれば、少なくとも一部のデータ構造を有する用に第２ファイルが第２記録領域に記録されれば、例えば第１アプリケーションは第２ファイルを読み取る（即ち、認識する）ことが可能となる。尚、この「少なくとも一部のデータ構造は」は、所定のファイルシステムに準拠したデータ構造のうち例えば第１アプリケーションが第２ファイルを認識することができる程度に抽出されたデータ構造を有していることが好ましい。
【００３８】
本発明の情報記録媒体に係る実施形態の他の態様は、前記第２記録領域には、前記第２アプリケーションにより使用され且つ前記第２ファイルを管理するための管理情報（サムネイルやタイトル等を示す各種情報）が更に記録される。
【００３９】
この態様によれば、管理情報を参照することで、数多くの第２ファイルが記録されることになり得る第２記録領域を好適に且つ比較的容易に管理することが可能となる。
【００４０】
また、この管理情報を第１記録領域に記録するように構成してもよい。もちろん、第１記録領域に、第１アプリケーションにより使用され且つ第１ファイルを管理するための管理情報を更に記録してもよい。
【００４１】
上述の如く管理情報が記録される情報記録媒体の態様では、当該情報記録媒体は、少なくとも二つの前記第２記録領域を備えており、前記第２ファイルは、前記少なくとも二つの第２記録領域のうち一の第２記録領域に記録され、前記第２アプリケーションにより使用される前記管理情報は、前記一の第２記録領域とは異なる他の第２記録領域に記録されるように構成してもよい。
【００４２】
このように構成すれば、他の第２記録領域にアクセスすれば、第２ファイルが記録されている一の第２記録領域にアクセスしなくとも管理情報を読み取ることができる。このように、管理情報を記録するための（或いは、管理情報専用の）第２記録領域が存在するため、単一の第２記録領域内から管理情報を読み取る場合と比較して、該読み取りに要する時間を大幅に短縮することが可能となる。この結果、数多くの第２ファイルが記録されることになり得る第２記録領域を好適に且つ比較的容易に管理することが可能となる。
【００４３】
本発明の情報記録媒体に係る実施形態の他の態様は、前記第２記録領域には、当該情報記録媒体の記録領域全体に対する前記第２記録領域の配置（例えば、情報記録媒体中の或いは第１記録領域のいずれの位置に第２記録領域が配置されるかを示す情報）及びサイズ（例えば、第２記録領域の大きさ）の夫々を示す配置情報が更に記録される。
【００４４】
この態様によれば、第２記録領域の構成（例えば、複数の第２ファイルが記録されている位置等）が意図せず変化してしまった場合であっても、第２記録領域が本来配置される位置とそのサイズを含む配置情報を参照することで、再び第２記録領域を復旧する（即ち、元の構成に戻す）ことができる。もちろん、この配置情報を第１記録領域に記録するように構成してもよいし、第１記録領域に関する配置情報が更に記録されるように構成してもよい。
【００４５】
本発明の情報記録媒体に係る実施形態の他の態様は、前記第１記録領域には、前記第２記録領域の特定のアドレス位置を示すポインタ情報が更に記録される。
【００４６】
この態様によれば、例えば正規なアクセス経路から第２記録領域にアクセスできない場合であっても、当該ポインタ情報を参照することで、正規なアクセス経路とは別の経路（即ち、予備的な経路）で第２記録領域に直接的にアクセスすることができる。即ち、第１記録領域と第２記録領域との間のアクセス経路を示すデータが何らかの理由で破壊等されても、好適に第２記録領域にアクセスすることができる。
【００４７】
本発明の情報記録媒体に係る実施形態の他の態様は、前記第２記録領域には、前記第１記録領域の特定のアドレス位置（例えば、後述のファイルエントリＩＣＢ（サブＰ）のアドレス位置等）を示すポインタ情報が更に記録される。
【００４８】
この態様によれば、ポインタ情報を参照することで、第２記録領域から第１記録領域の特定の記録領域へアクセスすることが可能となる。従って、第１記録領域から第２記録領域にアクセスできなくなったとしても、例えば上述の予備的な経路を用いて第２記録領域等にアクセスできれば、該アクセスした第２記録領域から第１記録領域へのアクセス経路（更には、その逆の第１記録領域から第２記録領域への本来のアクセス経路）を特定することが可能となる。
【００４９】
本発明の情報記録媒体に係る実施形態の他の態様は、前記第２記録領域には、前記第２ファイルの属性、前記第２ファイルを記録又は再生する際の転送レート、前記第２ファイルを構成するユニットの最小サイズ及び前記第２ファイルのシーク速度の少なくとも一つを示す属性情報が更に記録されている。
【００５０】
この態様によれば、属性情報を参照することで、第２記録領域を好適に設けたり或いは管理したりすることが可能となる。もちろん、この属性情報を第１記録領域に記録するように構成してもよいし、第１記録領域に関する属性情報が更に記録されるように構成してもよい。
【００５１】
本発明の情報記録媒体に係る実施形態の他の態様は、前記第２記録領域には、前記第２アプリケーションを特定するためのアプリケーション情報が更に記録される。
【００５２】
この態様によれば、アプリケーション情報を参照することで、情報記録装置や情報再生装置は、第２記録領域に対して第２ファイルを記録したり或いは再生する第２アプリケーションを比較的容易に識別することができる。したがって、誤ったアプリケーションによって第２ファイルが記録されたり、或いは再生されるという不都合を避けることが可能となる。もちろん、このアプリケーション情報を第１記録領域に記録するように構成してもよいし、第１アプリケーションを特定するためのアプリケーション情報が更に記録されるように構成してもよい。
【００５３】
本発明の情報記録媒体に係る実施形態の他の態様は、前記第２記録領域は、前記第１アプリケーションに対しては読取専用な記録領域である。
【００５４】
この態様によれば、第２記録領域に記録された第２ファイルが誤って第１アプリケーションにより再生されるという不都合を避けることができる。従って、誤って再生されることによる情報再生装置の暴走等の不都合を避けることができる。もちろん、第１記録領域が第２アプリケーションに対しては読取専用な記録領域であるように構成してもよい。
【００５５】
本発明の情報記録媒体に係る実施形態の他の態様は、前記第２記録領域を複数備える。
【００５６】
この態様によれば、複数の第２記録領域を用いて第２ファイルを記録することができる。また、複数の第２記録領域から所望の第２ファイルを読み取り、再生することができる。従って、第２記録領域をより有効に使用することが可能となる。
【００５７】
上述の如く複数の第２記録領域を備える情報記録媒体の態様では、前記複数の第２記録領域の夫々は、該夫々の第２記録領域を識別するための識別番号を有する。
【００５８】
このように構成すれば、複数の第２記録領域が存在していても、これらを好適に識別することが可能となる。もちろん、第１記録領域を複数設けるように構成してもよいし、複数の第１記録領域の夫々は、該夫々の第１記録領域を識別するための識別番号を有するように構成してもよい。
【００５９】
（情報記録装置の実施形態）
本発明の情報記録装置に係る実施形態は、上述した本発明の情報記録媒体に係る実施形態（但し、その各種態様を含む）に対して記録動作を行なう情報記録装置であって、前記第１アプリケーションに従って前記第１ファイルを前記第１記録領域に記録する第１記録手段と、前記第２アプリケーションに従って前記第２ファイルを前記第２記録領域に記録する第２記録手段とを備える。
【００６０】
本発明の情報記録装置に係る実施形態によれば、第１アプリケーションに従って動作する第１記録手段の動作により、第１記録領域に第１ファイルを記録することができる。また、第２アプリケーションに従って動作する第２記録手段の動作により、第２記録領域に第２ファイルを記録することができる。従って、上述した本発明の情報記録媒体に係る実施形態に対して第１ファイル及び第２ファイルを好適に記録することができる。これにより、上述した本発明の情報記録媒体が有する利益と同様の利益を享受することが可能となる。
【００６１】
尚、上述した本発明の情報記録媒体に係る実施形態の各種態様に対応して、本発明の情報記録装置に係る実施形態も各種態様を採ることが可能である。
【００６２】
また、第１ファイル及び第２ファイルの双方を記録可能な情報記録装置でなくとも、いずれか一方のファイルを記録する情報記録装置であっても本発明の範囲に含まれる。即ち、前記第１ファイルを前記第１記録領域に記録する第１記録手段と、前記第１アプリケーションに従って前記第１ファイルを記録するように前記第１記録手段を制御する制御手段とを備える情報記録装置であってもよいし、或いは前記第２ファイルを前記第２記録領域に記録する第２記録手段と、前記第２アプリケーションに従って前記第２ファイルを記録するように前記第２記録手段を制御する制御手段とを備える情報記録装置であってもよい。
【００６３】
本発明の情報記録装置に係る実施形態の一の態様は、前記第１記録領域の少なくとも一部を前記第２ファイルが記録されるための記録領域として設定することで、前記第２記録領域を生成する生成手段を更に備える。
【００６４】
この態様によれば、生成手段の動作により、必要に応じて新たな第２記録領域を比較的容易に生成することができる。従って、第１記録領域と第２記録領域との割り振りを比較的容易に管理することができ、情報記録媒体の記録容量を有効に利用することが可能となる。
【００６５】
本発明の情報記録装置に係る実施形態の他の態様は、前記第１記録領域には、当該情報記録媒体の記録領域全体に対する前記第２記録領域の配置及びサイズの少なくとも一方を示す配置情報が記録されており、前記第２記録領域が破壊された場合に、前記配置情報に基づいて、前記第２記録領域を再構築する再構築手段を更に備える。
【００６６】
この態様によれば、第２記録領域の構成（例えば、複数の第２ファイルが記録されている位置等）が意図せず変化してしまった場合であっても、配置情報を参照する再構築手段の動作により、再び第２記録領域を復旧する（即ち、元の構成に戻す）ことができる。
【００６７】
（情報記録方法の実施形態）
本発明の情報記録方法に係る実施形態は、上述した本発明の情報記録媒体に係る実施形態（但し、その各種態様を含む）に対して記録動作を行なう情報記録方法であって、前記第１アプリケーションに従って前記第１ファイルを前記第１記録領域に記録する第１記録工程と、前記第２アプリケーションに従って前記第２ファイルを前記第２記録領域に記録する第２記録工程とを備える。
【００６８】
本発明の情報記録方法に係る実施形態によれば、上述した本発明の情報記録装置に係る実施形態と同様の各種利益を享受することができる。
【００６９】
尚、上述した本発明の情報記録装置に係る実施形態における各種態様に対応して、本発明に係る情報記録方法の実施形態も各種態様を採ることが可能である。
【００７０】
（情報再生装置の実施形態）
本発明に係る情報再生装置の実施形態は、上述した本発明の情報記録媒体に係る実施形態（但し、その各種態様を含む）に対して再生動作を行なう情報再生装置であって、前記第１アプリケーションに従って、前記第１記録領域に記録された前記第１ファイルを読み取り且つ再生する第１再生手段と、前記第２アプリケーションに従って、前記第２記録領域に記録された前記第２ファイルを読み取り且つ再生する第２再生手段とを備える。
【００７１】
本発明の情報再生装置に係る実施形態によれば、第１アプリケーションに従って動作する第１再生手段の動作により、第１記録領域に記録された第１ファイルを読み取り且つ再生することができる。また、第２アプリケーションに従って動作する第２再生手段の動作により、第２記録領域に記録された第２ファイルを読み取り且つ再生することができる。従って、上述した本発明の情報記録媒体に係る実施形態より読み取られた第１ファイル及び第２ファイルを好適に再生することができる。これにより、上述した本発明の情報記録媒体が有する利益と同様の利益を享受することが可能となる。
【００７２】
尚、上述した本発明の情報記録媒体に係る実施形態における各種態様に対応して、本発明に係る情報再生装置の実施形態も各種態様を採ることが可能である。
【００７３】
また、第１ファイル及び第２ファイルの双方を再生可能な情報再生装置でなくとも、いずれか一方のファイルを再生する情報再生装置であっても、本発明の範囲に含まれる。即ち、前記第１記録領域に記録された前記第１ファイルを読み取り且つ再生する第１再生手段と、前記第１アプリケーションに従って前記第１ファイルを再生するように前記第１再生手段を制御する制御手段とを備える情報記録装置であってもよいし、或いは前記第２ファイルを前記第２記録領域に記録する第２記録手段と、前記第２アプリケーションに従って前記第２ファイルを記録するように前記第２記録手段を制御する制御手段とを備える情報記録装置であってもよい。
【００７４】
本発明の情報再生装置に係る実施形態の一の態様は、前前記第１記録領域には、前記所定のファイルシステムに準拠したデータ構造を有するように前記第１ファイルが記録されており、前記第２記録領域には、前記所定のファイルシステムに準拠したデータ構造を有するように前記第２ファイルが記録されるており、前記第１再生手段は、前記第２記録領域に記録された前記第２ファイルを読み取る。
【００７５】
この態様によれば、第１記録領域のデータ構造と第２記録領域とのデータ構造が同一であるため、第１再生手段は第１ファイルのみならず第２ファイルをも読み取ることが可能となる。従って、第１再生手段の動作により、情報記録媒体全体に記録されている様々なファイルを比較的容易に認識し又は管理することが可能となる。
【００７６】
（情報再生方法に係る実施形態）
本発明に係る情報再生方法の実施形態は、上述した本発明の情報記録媒体に係る実施形態（但し、その各種態様を含む）に対して再生動作を行う情報再生方法であって、前記第１アプリケーションに従って、前記第１記録領域に記録された前記第１ファイルを読み取り且つ再生する第１再生工程と、前記第２アプリケーションに従って、前記第２記録領域に記録された前記第２ファイルを読取且つ再生する第２再生工程とを備える。
【００７７】
本発明の情報再生方法に係る実施形態によれば、上述した本発明の情報再生装置に係る実施形態と同様の各種利益を享受することができる。
【００７８】
尚、上述した本発明の情報再生装置に係る実施形態における各種態様に対応して、本発明の情報再生方法に係る実施形態も各種態様を採ることが可能である。
【００７９】
（コンピュータプログラムの実施形態）
本発明に係るコンピュータプログラムの第１実施形態は、コンピュータを上述した情報記録装置の実施形態（但し、その各種形態も含む）の少なくとも一部として機能させる。また、本発明に係るコンピュータプログラムの第２実施形態は、コンピュータを上述した情報再生装置の実施形態（但し、その各種形態も含む）の少なくとも一部として機能させる。
【００８０】
本発明に係るコンピュータプログラムの各実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置又は情報再生装置に係る実施形態を比較的簡単に実現できる。
【００８１】
尚、上述した本発明の情報記録装置又は情報再生装置に係る実施形態における各種態様に対応して、本発明のコンピュータプログラムに係る第１又は第２実施形態も各種態様を採ることが可能である。
【００８２】
（制御信号を含むデータ構造の実施形態）
本発明の制御信号を含むデータ構造に係る実施形態は、所定のファイルシステムに準拠した制御信号を含むデータ構造であって、第１アプリケーションにより記録及び再生が行われる第１ファイルを記録するための論理的な第１記録領域と、前記第１アプリケーションとは異なる第２アプリケーションにより記録及び再生が行われる第２ファイルを記録するための論理的な第２記録領域とを備える。
【００８３】
本発明の制御信号を含むデータ構造に係る実施形態によれば、上述した本発明の情報記録媒体に係る実施形態と同様の利益を享受することが可能となる。
【００８４】
尚、上述した本発明の情報記録媒体に係る実施形態における各種態様に対応して、本発明のデータ構造に係る実施形態も各種態様を採ることが可能である。
【００８５】
本発明のこのような作用及び他の利得は次に説明する実施の形態から明らかにされる。
【００８６】
以上説明したように、本発明の情報記録媒体に係る実施形態によれば、第１記録領域及び第２記録領域を備える。従って、複数のアプリケーションの夫々により第１ファイルや第２ファイルの記録や再生等を好適に行うことが可能となる。
【００８７】
以上説明したように、本発明の情報記録装置又は方法に係る実施形態によれば、第１記録手段及び第２記録手段、又は第１記録工程及び第２記録工程を備える。従って、本実施形態に係る情報記録媒体に対して好適に第１ファイルや第２ファイルを記録することができる。また、本発明の情報再生装置又は方法に係る実施形態によれば、第１再生手段及び第２再生手段、又は第１再生工程及び第２再生工程を備える。従って、本実施形態に係る情報記録媒体に記録された第１ファイルや第２ファイルを好適に再生することができる。
【実施例】
【００８８】
以下、本発明の実施例を図面に基づいて説明する。
【００８９】
（情報記録媒体）
初めに、図１から図６を参照して本発明の情報記録媒体に係る実施例について説明を進める。
（１）基本構成
先ず、図１を参照して、本発明の情報記録媒体に係る実施例の基本構成について説明する。本実施例では、情報記録媒体として光ディスクを用いて説明を進める。ここに、図１は、上側に複数のエリアを有する光ディスクの構造を概略平面図で示すと共に、下側にその径方向におけるエリア構造を概念図で対応付けて示すものである。
【００９０】
図１に示すように、光ディスク１００は、例えば、エンボスピット等によりデータが予め記録されており、又は記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、データ記録エリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウオブリングされてもよいし、これらのうち一方又は両方のトラックにプレピットが形成されていてもよい。尚、本発明は、このような三つのエリアを有する光ディスクには特に限定されない。例えば、リードインエリア１０４やリードアウトエリア１０８が存在せずとも、以下に説明するファイル構造は構築可能である。また、後述するように、リードインエリア１０２やリードアウト１０８は更に細分化された構成であってもよい。
【００９１】
（２）データ構造
続いて、図２を参照して、本実施例に係る情報記録媒体の具体的なデータ構造について説明を進める。ここに、図２は、本実施例に係る光ディスク１００上における論理的な記録領域を概念的に示す説明図である。
【００９２】
図２（ａ）に示すように、光ディスク１００には、本発明の「第１記録領域」の一具体例に相当するメインパーティション１１０と、本発明の「第２記録領域」の一具体例に相当するサブパーティション２１０とが設けられている。このメインパーティションとサブパーティションとは論理的な記録領域であって、上述したリードインエリア１０４、データ記録エリア１０６及びリードアウトエリア１０８の如き物理的な記録領域と必ずしも一致するものではない。即ち、例えば複数の記録層を有する光ディスクのように物理的に記録領域が複数に分かれていようとも、それらとは直接的に関連することなく、後述するようにその記録領域を使用するアプリケーションに応じて論理的に分割された態様を有するように各記録領域が設けられる。即ち、いわゆるＰＣにおけるハードディスクのパーティション分割や、複数のＯＳ（Operating System）を一台のハードディスクで動作させるためのパーティション分割の如き、物理的な記録領域の分割とは大きく異なるものである。
【００９３】
メインパーティション１１０は、本発明の「第１アプリケーション」の一具体例に相当するパーソナルコンピュータ等に用いられる汎用アプリケーション（例えば、ＯＳ）が使用するファイル（データ）を記録するための論理的な記録領域である。そして、このメインパーティション１１０内に記録されているファイルは、本発明の「第１ファイル」の一具体例に相当しており、汎用アプリケーションによって記録され再生されまた実行される。言い換えれば、メインパーティション１１０には、汎用アプリケーションによって記録され、再生されまた実行されるファイルのみが選択的に記録される。
【００９４】
サブパーティション２１０は、本発明の「第２アプリケーション」の一具体例に相当する民生用のＤＶＤレコーダ等に用いられている専用アプリケーション（例えば、ＤＶＤ−ｖｉｄｅｏアプリケーション）が記録、再生及び実行するためのファイルを記録するための論理的な記録領域である。特に、メインパーティション１１０内の一部の記録領域がサブパーティション２１０として割り当てられ、汎用アプリケーションにとっては、該サブパーティション２１０は使用済みの記録領域（recorded and allocated area）として認識される。そして、このサブパーティション２１０内に記録されているファイルは、本発明の「第２ファイル」の一具体例に相当しており、専用アプリケーションによって記録され、再生されまた実行される。言い換えれば、サブパーティション２１０には、専用アプリケーションによって記録され、再生されまた実行されるファイルのみが選択的に記録される。
【００９５】
また、図２（ｂ）に示すように、複数のサブパーティション（＃１）２１０ａ及びサブパーティション（＃２）２１０ｂを備えるように構成してもよい。そして、サブパーティション（＃１）２１０ａとサブパーティション（＃２）２１０ｂとの夫々に対して、同じアプリケーション（例えば、上述の専用アプリケーション）によりファイルが記録等されるように構成してもよい。或いは、サブパーティション（＃１）２１０ａに対して一のアプリケーション（例えば、一の専用アプリケーション）によりファイルが記録等され、他方サブパーティション（＃２）２１０ｂに対して他のアプリケーション（例えば、他の専用アプリケーション）によりファイルが記録等されるように構成してもよい。即ち、複数のサブパーティションに対して、夫々異なる複数のアプリケーションによりファイルが記録等されるように構成してもよい。
【００９６】
そして、このように複数のサブパーティション２１０を備える場合には、夫々のサブパーティション２１０に対して固有の（或いは、一意に識別可能な）識別番号を付与することが好ましい。例えば、図２（ｂ）に示すように、＃１、＃２・・・なる識別番号を付与することが好ましい。そして、この識別番号は後述するＦＳＤ１２０内に記録されることが好ましい。
【００９７】
このような、異なる２つのアプリケーションのいずれか一方に夫々対応する２つのパーティションを論理的に有する光ディスクを実現するためのより具体的なデータ構造について、図３及び図４を参照しながら説明する。ここに、図３は、図２に示す論理的な記録領域を有する光ディスクを規定する論理的なデータ構造をより詳細に示すデータ構造図であり、図４は、図２に示す論理的な記録領域を有する光ディスクを規定する論理的なデータ構造であって、特にサブパーティションに係る論理的なデータ構造をより詳細に示すデータ構造図である。
【００９８】
尚、以下の説明では、当該光ディスク１００は、ファイルシステムとして、ＵＤＦ（Universal Disk Format）の規格に準拠したデータ構造を有するものとして説明する。従って、以下の説明で示す各ファイルは、ＵＤＦに準拠した形式で記録される。そして、一般的なＵＤＦの規格に関する説明については省略する。規格の説明については、ＯＳＴＡ（Optical Storage Technology Association）が発行しているＵＤＦ  Ｓｐｅｃｉｆｉｃａｔｉｏｎ（Revision 2.50）を参照されたい。もちろん他の規格に準拠したデータ構造であっても、本実施例において説明するような２つの或いは複数のパーティションを有する構造を採用することは当然に可能である。
【００９９】
図３に示すように、光ディスク１００の論理的なデータ構造の頂点（或いは、最上流・最上位）には、ＡＶＤＰ（Anchor Volume Description Pointer）が配置されている。このＡＶＤＰは、ＶＤＳ（Volume Description Sequence）が実際に記録されているアドレス位置（論理アドレス）を指し示すポインタ情報であり、例えば物理アドレスが“ＦＦｈ”の記録領域に記録されている。
【０１００】
ＶＤＳには、光ディスク１００の光ディスク１００のディスクボリューム空間全体を示すための各種情報が記録されている。この各種情報として例えばＰＶＤ（Primary Volume Descriptor）、ＬＶＤ（Logical Volume Descriptor）、ＰＤ（Partition Descriptor）、ＩＵＶＤ（Implementation Use Volume Descriptor）、ＵＳＤ（Unallocated Space Descriptor）、ＴＤ（Terminating Descriptor）等を一具体例として挙げることができる。
【０１０１】
このとき、特にＬＶＤはＦＳＤ（File Set Descriptor）１２０が実際に記録されているアドレス位置を指し示している。このＦＳＤ１２０は、光ディスク１００の論理的なディスクボリューム空間毎に一つずつ設けられ、光ディスク１００上の実際のファイル構造（具体的には、ルートディレクトリ（Root Directory）１４０）を指し示すためのルートディレクトリＩＣＢ１３０が実際に記録されているアドレス位置を指し示している。
【０１０２】
ルートディレクトリ１４０には、実際の各ファイルを識別するファイルＩＤ（File Identifier）が記録されている。例えば図３に示すデータ構造においては、ルートディレクトリ１４０は、サブディレクトリ（Sub Directory：サブＤ）に関するファイルＩＤ（サブＤ）、ファイル１に関するファイルＩＤ（ファイル１）及びサブパーティション（サブＰ）２１０に関するファイルＩＤ（サブＰ）を備えている。また、ファイルＩＤ（サブＤ）は、サブディレクトリＩＣＢが実際に記録されているアドレス位置を指し示している。ファイルＩＤ（ファイル１）は、ファイルエントリＩＣＢ（ファイル１）が実際に記録されているアドレス位置を指し示しており、ファイルＩＤは、ファイルエントリＩＣＢ（サブＰ）１５１が実際に記録されているアドレス位置を指し示している。
【０１０３】
そして、サブディレクトリＩＣＢは、サブディレクトリの実体が実際に記録されているアドレス位置を指し示している。また、ファイルエントリＩＣＢ（ファイル１）は、ファイル１の実体が実際に記録されているアドレス位置を指し示している。また、ファイルエントリＩＣＢ（サブＰ）１５１は、サブパーティション２１０の実体が実際に記録されているアドレス位置（具体的には、後述のサブパーティションディスクリプタ２２０が実際に記録されているアドレス位置）を指し示している。
【０１０４】
続いて、サブパーティション内部のデータ構造について説明する。図４に示すように、サブパーティションディスクリプタ２２０は、ルートファイルエントリ（サブＰ）ＩＣＢ２３０が記録されているアドレス位置を指し示しており、このルートファイルエントリ（サブＰ）ＩＣＢ２３０以下のデータ構造は、図３において示したルートディレクトリＩＣＢ１３０以下のデータ構造と同様である。
【０１０５】
このように、メインパーティション１１０及びサブパーティション２１０は夫々、同一の規格（或いは、ファイルシステム構造）に準拠したツリー状のデータ構造を有している。従って、メインパーティション１１０内にサブパーティション２１０を設けても、汎用アプリケーションが光ディスク１００（即ち、メインパーティション１１０及びサブパーティション２１０）に記録されているファイルにアクセスする分には、特段の支障は生じない。
【０１０６】
そして、専用アプリケーションにより実行等されるファイルは、サブパーティション２１０内に記録され、また汎用アプリケーションにより実行等されるファイルは、メインパーティション１１０内に記録される。従って、メインパーティション１１０に記録されたファイルに対して専用アプリケーションによって実行等や各種ファイル操作（例えば、コピーや移動や削除や改変等）が行われることはない。同様に、サブパーティション２１０に記録されたファイルに対して汎用アプリケーションによって実行等或いは各種ファイル操作が行われることはない。従って、一枚の光ディスク１００に対して異なるアプリケーションの夫々によりファイルの記録等がなされても、アプリケーション毎に使用する記録領域を分けているがゆえに、各アプリケーションの規格の相違に影響されることはない。即ち、そのアプリケーションが使用するファイルを、対応する記録領域から読み取るため、アプリケーションの各種動作等において特段の問題は生じない。
【０１０７】
より具体的な例を用いて説明すると、例えば現行のＤＶＤ−ｖｉｄｅｏの規格（即ち、専用アプリケーションに関する規格の一具体例）では、例えばファイルの名称によっていずれのファイルをどのように実行するかが定められている。他方で、ＰＣ用のファイル（例えばワープロソフトにより用いられるテキストファイル等）は概ねファイルの名称は自由に設定・改変等することができる。このような場合であっても、本実施例の如くメインパーティション１１０とサブパーティション２１０とを備える光ディスク１００によれば、汎用アプリケーションによりＰＣ用のファイルのファイル操作等が行われても、ＤＶＤ−ｖｉｄｅｏ用のファイルに対して各種ファイル操作等が行われることはない。従って、概してユーザの操作により実行される汎用アプリケーションのファイル操作が、ＤＶＤ−ｖｉｄｅｏ用のファイルに対して行われることで、該操作が行われたファイルを実行できなくなり得るという不都合を好適に避けることが可能となる。
【０１０８】
その他にも、例えば記録されるファイルの最小ユニット単位や複数のファイルが記録される場合のそれらのファイルの間隔など、汎用アプリケーションと専用アプリケーションとの間で異なる制約を受けることがある。このような２つのアプリケーションが夫々異なる制約を受ける場面においても、本実施例に係る光ディスク１００によれば、夫々のアプリケーションが夫々のファイルを夫々対応する記録領域に記録するため、上述の如き不都合を好適に避けることが可能となる。即ち、一方のアプリケーションの動作によって、他方のアプリケーションに関するファイルが本来満たすべき制約を満たさなくなる不都合を好適に避けることが可能となる。
【０１０９】
加えて、サブパーティション２１０は、メインパーティション１１０と同様の汎用的なデータ構造（具体的には、ＵＤＦに準拠したデータ構造）を有しているがゆえに、例えばＵＤＦ以外の他のファイルシステムにおいても同様の構造を採ることができる。即ち、サブパーティション２１０の構造は、ポータブルな構造である。
【０１１０】
また、サブパーティション２１０のデータ構造を規定する各種要素（即ち、上述のファイルセットディスクリプタ２２０等）とサブパーティションに記録されるファイルの実体とが同じサブパーティション２１０内に記録されている。このため、サブパーティション２１０にアクセスする専用アプリケーションのシーク時間を減少させることができる。
【０１１１】
このとき、サブパーティション２１０は、メインパーティション１１０と同様のデータ構造を有しているがゆえに、ファイルの読み取りは汎用アプリケーションであっても可能である。即ち、どのようなファイルが記録されているかを閲覧（或いは、認識）することは可能である。他方で、例えばサブパーティション２１０に記録されるファイルは、専用アプリケーションの規格に準拠しているため、汎用アプリケーションでは記録したり再生したり実行したりすることはできない。加えて、上記の如き例えばファイルの名称の改変等を防ぐという観点から、サブパーティション２１０は、汎用アプリケーションにとっては読取専用の記録領域であることが好ましい。
【０１１２】
尚、サブパーティション２１０内は、必ずしもメインパーティションと同一のデータ構造を採用しなくともよい。例えば、図４中点線で囲むサブセットデータ構造を有するサブパーティションを構成してもよい。ここでは、サブセットデータ構造として、サブパーティションディスクリプタ２２０、ルートファイルエントリ（サブＰ）ＩＣＢ２３０及びルートファイルエントリ（サブＰ）２４０が一具体例として挙げられている。このようなサブセットデータ構造を最小限有するサブパーティション２１０であれば、上述した各種利益を享受することは可能である。
【０１１３】
以上の結果、本実施例に係る光ディスク１００によれば、複数の異なるアプリケーションの夫々により、一枚の情報記録媒体に対して好適にファイルの記録や再生を行うことが可能となる。
【０１１４】
ここで更に、本実施例に係る情報記録媒体のデータ構造について詳細に説明する。
【０１１５】
再び図３において、ＦＳＤ１２０は、サブパーティションのアドレス位置を示すポインタ情報１２１を有している。具体的には、例えばサブパーティションディスクリプタ２２０のアドレス位置を示すポインタ情報を有していてもよい。これにより、仮にＦＳＤ１２０とサブパーティションディスクリプタ２２０との間のデータ構造が破壊された（或いは、認識できなくなった）としても、当該ポインタ情報１２１を参照することで、破壊されたデータ構造に依存することなくサブパーティション２１０へアクセスすることができる。例えば、汎用アプリケーションを用いたユーザのファイル操作（例えば、ファイルの移動操作）により、誤ってルートディレクトリ１４０中のファイルＩＤ（サブＰ）が破壊等されてしまった場合等において有効となってくる。更に、このＵＤＦの構造そのものを正しく認識することができない専用アプリケーション（例えば、バグを有している専用アプリケーション）であっても、サブパーティション２１０をダイレクトに示すポインタ情報１５１を参照すれば、サブパーティション２１０に直接アクセスして各種ファイルを実行等することができるという利点も有している。
【０１１６】
また、図４に示すように、サブパーティションディスクリプタ２２０は、ファイルエントリＩＣＢ（サブＰ）１５１のアドレス位置を示すポインタ情報２２１を有していてもよい。これにより、仮にＦＳＤ１２０とサブパーティションディスクリプタ２２０との間のデータ構造が破壊されて、ＦＳＤ１２０から（いわゆる、上流側から）サブパーティション２２１へアクセスできないという場合に、該ポインタ情報２２１を参照することで下流側からＦＳＤ１２０とサブパーティションディスクリプタ２２０との間のデータ構造を認識することが可能となる。即ち、当該ポインタ情報２２１を参照すれば、サブパーティションディスクリプタ２２０からファイルエントリＩＣＢ（サブＰ）１５１のアドレス位置を取得でき、同様の動作をファイルエントリＩＣＢ（サブＰ）１５１に対しても或いはその後に取得できるデータに対しても行えば、いずれＦＳＤ１２０にアクセスすることができる。このため、図３及び図４に示すデータ構造の各要素は、上流側に配置される要素のアドレス位置をポインタ情報として有していることが好ましい。
【０１１７】
また、図４に示すように、ファイルエントリＩＣＢ（サブＰ）１５１は、サブパーティション配置情報（Sub Partition Allocation Information）１５２を有していてもよい。サブパーティション配置情報１５２は、サブパーティション２１０のサイズ（大きさ）とサブパーティション２１０の位置との夫々を示す情報を含んでいる。
【０１１８】
このような配置情報（allocation information）を持つがゆえに、汎用アプリケーションを用いたユーザのファイル操作に起因してサブパーティション２１０の配置や構成等が変わってしまった場合にも、比較的容易に元の正しい状態に戻す（即ち、復旧する）ことが可能となる。この復旧の態様について図５を参照してより詳細に説明する。ここに、図５は、サブパーティションの復旧（再構築）の態様を概念的に示す説明図である。
【０１１９】
例えば図５（ａ）に示すように、本来サブパーティション＃１、サブパーティション＃２、サブパーティション＃３及びサブパーティション＃４がこの順番で連続して記録されているとする。そして、再生時には、各サブパーティションがこの順番で連続して再生されるとする。ここで、例えばユーザのファイル操作等により、図５（ｂ）の上部に示すように各サブパーティションの配置が変えられてしまった場合、例えばサブパーティション＃１とサブパーティション＃２との間が大きく空いてしまったがゆえに、後述の光ピックアップのジャンプ時間等（即ち、例えばシーク時間等）の増加により好適にファイルを再生できなくなるおそれがある。しかるに、配置情報を参照すれば、各サブパーティションの本来のサイズや配置等が判明する。このため、図５（ｂ）の上部に示す状態から図５（ｂ）の下部に示す正しい状態に戻すことができる。従って、配置情報が記録されていることにより、サブパーティション２１０に記録されたファイルの好適な再生・実行を担保することが可能となる。
【０１２０】
また、このサブパーティション配置情報１５２のコピー（サブパーティション配置情報（コピー）２２２）が、サブパーティションディスクリプタ２２０内に記録されるように構成してもよい。即ち、ユーザによるファイル操作が容易に行われるメインパーティション１１０以外に、ユーザによるファイル操作等が容易に行われないサブパーティション２１０にサブパーティション配置情報（コピー）が記録される。このため、サブパーティション配置情報（コピー）２２２が、ユーザのファイル操作等に起因して破壊されるおそれは少ない。これにより、例えばユーザのファイル操作等に起因してメインパーティション１１０内のサブパーティション配置情報１５２を認識できなくなってしまっても、サブパーティション２１０内のサブパーティション配置情報（コピー）２２２を参照すれば、上述の如き利益を享受することができる。
【０１２１】
また、図２に示すように複数のサブパーティション２１０を有する場合には、夫々のサブパーティション毎の上述のサイズ及び位置を示すサブパーティション配置情報１５２及びサブパーティション配置情報２２２が記録されることが好ましい。
【０１２２】
また、図４に示すように、サブパーティションディスクリプタ２２０は、サブパーティション２１０の属性を示すサブパーティション属性情報（Sub Partition Attribute Information）２２３を有していてもよい。属性情報２２３には最小転送レート（Minimum Transfer Rate）、最小ユニットサイズ（Minimum Extent Size）、推奨シーク速度（Recommended Seek Performance）等が含まれている。
【０１２３】
最小転送レートは、ファイルを記録又は再生する際の最小の転送レートを示す情報である。記録時の最小転送レートと再生時の最小転送レートの夫々を有していてもよいし、或いは記録時及び再生時の夫々に共通の最小転送レートを有していてもよい。
【０１２４】
最小ユニットサイズは、ファイルを構成するユニットの最小サイズを示す情報である。例えばＤＶＤ−ｖｉｄｅｏに関するファイルであれば例えばＶＯＢ（Video Object）のサイズであってもよいし、或いはＭＰＥＧ（Moving Picture Experts Group）のＧＯＰ（Group Of Picture）のサイズであってもよい。或いは、その他の所定値を最小ユニットサイズとしてもよい。
【０１２５】
推奨シーク速度は、ファイルのシーク速度の推奨値を示す情報である。
【０１２６】
このサブパーティション属性情報２２３を参照することで、専用アプリケーションは、サブパーティション２１０に対してより好適にファイルを記録したり、或いはサブパーティションに記録されているファイルを再生したり実行したりすることが可能となる。また、汎用アプリケーションも、専用アプリケーションが記録するファイルに応じて、サブパーティション２１０を割り当てる等の動作が可能となる。
【０１２７】
また、図４に示すように、サブパーティション２１０に、サブパーティション用のフリースペースビットマップ（Free Space Bitmap）２３１が記録されるように構成してもよい。このフリースペースビットマップ２３１は、サブパーティション２１０内の記録領域を管理するための情報である。例えば、サブパーティション２１０の記録領域を複数のサブ記録領域に分割した時の夫々のサブ記録領域が記録済であるか又は未記録であるかを示すフラグ情報を含んでいる。このフリースペースビットマップ２３１を参照すれば、サブパーティション２１０におけるファイルの記録状態の概略を比較的容易に且つ迅速に認識することができる。このため、専用アプリケーションによるサブパーティション２１０に記録されたファイルの実行等に要する時間をより短縮することが可能となる。
【０１２８】
また、サブパーティション２１０に、専用アプリケーションの種類等を示すドメインサフィックス（Domain Suffix）が記録されるように構成してもよい。このドメインサフィックスは、本発明の「アプリケーション情報」の一具体例に相当する。尚、このドメインサフィックスは、ＦＳＤ１２０内に記録されるように構成してもよい。
【０１２９】
また、サブパーティション２１０に、該サブパーティション２１０に記録されている各種ファイルを管理するための管理情報を記録するように構成してもよい。例えば、管理情報は、サブパーティション２１０内に記録されている各ファイルが示すテレビ番組や映画のタイトルやサムネイルを示す情報等を含んでいてもよい。この管理情報を参照することで、サブパーティション２１０内に記録されている各ファイルの管理が比較的容易となり、また、比較的迅速にファイルの再生・実行動作を行なうことが可能となる。
【０１３０】
更に、サブパーティション２１０内のデータ構造を示すバックアップ情報（或いは、ミラー情報）を記録するように構成してもよい。これにより、該バックアップ情報を用いてのサブパーティション２１０の再構築を比較的容易に行うことが可能となる。
【０１３１】
（３）変形例
続いて、図６を参照して、本実施例に係る情報記録媒体の変形例について説明する。ここに、図６は、変形例に係る情報記録媒体を概念的に示す説明図である。
【０１３２】
図６に示すように、一のサブパーティション（＃１）２１０ａをテレビ番組や映画等を含むコンテンツに関するファイルを記録するためのサブパーティションとし、他のサブパーティション（＃２）２１０ｂを上述の管理情報を記録するためのサブパーティションとしてもよい。そして、他のサブパーティション（＃２）２１０ｂは、管理情報を記録することができる程度のサイズを有していれば足り、概して一のサブパーティション（＃１）よりも小さい。
【０１３３】
これにより、相対的に小さな記録領域をサーチすれば管理情報を取得することができるため、管理情報を取得するために必要なシーク時間を減少させることが可能となる。また、この制御情報用の記録領域として１つのサブパーティション２１０を割り当てるため、例えば６４ＭＢの連続した記録領域を制御情報の記録ように確保することができる。従って、制御情報が細かな記録領域に細分化されて記録されることがなくなり、よりサブパーティションを管理しやすくなる。
【０１３４】
（情報記録再生装置）
続いて、図７から図９を参照して本発明の情報記録装置及び情報再生装置に係る実施例である情報記録再生装置について説明する。
【０１３５】
（１）基本構成
先ず、図７を参照して、本発明の情報記録装置及び情報再生装置に係る実施例としての情報記録再生装置３００の構成について説明する。ここに、図７は、本発明の実施例に係る情報記録再生装置３００のブロック図である。尚、情報記録再生装置３００は、光ディスク１００に記録データを記録する機能と、光ディスク１００に記録された記録データを再生する機能とを備える。
【０１３６】
図７を参照して情報記録再生装置３００の内部構成を説明する。情報記録再生装置３００は、プロセッサ３５４の制御下で、光ディスク１００に情報を記録すると共に、光ディスク１００に記録された情報を読み取る装置である。
【０１３７】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、操作ボタン３１０、表示パネル３１１、及びバス３５７により構成されている。
【０１３８】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。
【０１３９】
光ピックアップ３５２は光ディスク１００への記録再生を行うもので、レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。
【０１４０】
信号記録再生手段３５３は、スピンドルモータ３５１と光ピックアップ３５２を制御することで光ディスク１００に対して記録再生を行う。
【０１４１】
メモリ３５５は、記録再生データのバッファ領域や、信号記録再生手段３５３で使用出来るデータに変換する時の中間バッファとして使用される領域などディスクドライブ３００におけるデータ処理全般において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。
【０１４２】
ＣＰＵ（ドライブ制御手段）３５４は、信号記録再生手段３５３、メモリ３５５と、バス３５７を介して接続され、各制御手段に指示を行うことで、情報記録再生装置３００全体の制御を行う。通常、プロセッサ３５４が動作するためのソフトウェアは、メモリ３５５に格納されている。
【０１４３】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。
【０１４４】
操作制御手段３０７は情報記録再生装置３００に対する動作指示受付と表示を行うもので、記録又は再生といった操作ボタン３１０による指示をプロセッサ３５４に伝え、記録中や再生中といった情報記録再生装置３００の動作状態を蛍光管などの表示パネル３１１に出力する。
【０１４５】
このように、情報記録再生装置３００の一例である、家庭用機器では映像を記録再生するレコーダ機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。
【０１４６】
尚、一台の情報記録再生装置で汎用アプリケーションによる記録動作等と専用アプリケーションによる記録動作等を行なうように構成してもよいし、汎用アプリケーションによる記録動作等のみを行なうように構成してもよいし、専用アプリケーションによる記録動作等のみを行なうように構成してもよい。
【０１４７】
（２）記録動作例
続いて、図８及び図９を参照して、本実施例に係る情報記録再生装置による記録動作について説明する。ここに、図８及び図９は夫々、記録動作の最中におけるサブパーティション２１０に記録されているファイルを概念的に示す説明図である。
【０１４８】
記録動作に先立って、光ディスク１００が情報記録再生装置３００にローディングされると、記録すべきファイルに応じて、汎用アプリケーションによる記録動作が行なわれるか或いは専用アプリケーションによる記録動作が行なわれるかが選択される。但し、汎用アプリケーションによる記録動作のみを行なう情報記録再生装置及び専用アプリケーションによる記録動作のみを行なう情報記録再生装置であれば、この選択動作は実行されなくともよい。そして、汎用アプリケーションによる記録動作であれば、メインパーティション１１０にファイルが記録される。他方、専用アプリケーションによる記録動作であれば、当初から割り当てられたサブパーティション２１０にファイルが記録される。或いは、メインパーティション１１０の一部をサブパーティション２１０として新たに割り当てて、該割り当てられたサブパーティション２１０にファイルが記録される。
【０１４９】
尚、記録の態様として、例えば以下に説明する２つの態様が考えられる。
【０１５０】
図８に示すように、記録の一の態様では、メインパーティション１１０及びサブパーティション２１０の夫々に共通な追記ポイント（ＮＷＡ：Next Writable Address）からファイルを記録する。即ち、光ディスク１００上に追記ポイントは１箇所しか存在しない。
【０１５１】
このとき、ＵＤＦの規格に準拠してＶＡＴ（Virtual Allocation Table）を用いたデータ構造を有するようにファイルを記録してもよい。特に、ファイルの記録が一度のみ可能なＤＶＤ−Ｒ等の光ディスク１００にファイルを記録する場合には、このＶＡＴを用いることが好ましい。そして、ＶＡＴを用いる際には、該ＶＡＴが実際に記録されているアドレス位置を指し示すＶＡＴ＿ＩＣＢが更に記録される。
【０１５２】
また、図９に示すように、記録の他の態様では、一の追記ポイントからメインパーティション１１０にファイルを記録し、該一の追記ポイントとは異なる他の追記ポイントからサブパーティション２１０にファイルを記録する。即ち、光ディスク１００上に追記ポイントは複数箇所存在している。例えば、一のサブパーティションを専用アプリケーションに用いられるファイルを記録するための記録領域とし、他のサブパーティションをそのファイルをバックアップするための記録領域とし、夫々の追記ポイントから複数のサブパーティションに並行してファイル（及びバックアップファイル）を記録することもできる。このとき、サブパーティション２１０のＶＡＴ及びＶＡＴ＿ＩＣＢの後ろ側の記録領域は、サブパーティション２１０用に予め割り当てられており、実際にファイルは記録されていなくとも、汎用アプリケーションにとっては記録済みの記録領域であると認識される。
【０１５３】
このため、複数の追記ポイントのいずれからもファイルを記録することができるため、より柔軟な記録動作を実現することが可能となる。
【０１５４】
また、当初割り当てられていたサブパーティション２１０の全ての記録領域にファイルを記録した場合は、メインパーティション１１０の一部の記録領域を新たにサブパーティション２１０として割り当てるように構成してもよい。或いは、当初からメインパーティション１１０しか存在しない光ディスク１００にファイルを記録する場合等においては、専用アプリケーションによりファイルが記録される都度、メインパーティション１１０の一部の記録領域をサブパーティション２１０として割り当てながら該ファイルを記録するように構成してもよい。
【０１５５】
（３）再生動作例
続いて、本実施例に係る情報記録再生装置による再生動作（或いは、実行動作）について説明する。
【０１５６】
再生動作に先立って、光ディスク１００が情報記録再生装置３００にローディングされると、再生すべきファイルに応じて、汎用アプリケーションによる再生動作が行なわれるか或いは専用アプリケーションによる再生動作が行なわれるかが選択される。但し、汎用アプリケーションによる再生動作のみを行なう情報記録再生装置及び専用アプリケーションによる再生動作のみを行なう情報記録再生装置であれば、この選択動作は実行されなくともよい。汎用アプリケーションによる再生動作であれば、メインパーティション１１０に記録されたファイルが再生されまた実行される。他方、専用アプリケーションによる再生動作であれば、サブパーティション２１０に記録されたファイルが再生されまた実行される。
【０１５７】
以上説明したように記録動作や再生動作が行なわれる。特に、アプリケーションの種類（或いは、ファイルの種類）に応じて、ファイルを記録する又は再生する記録領域を変えている。このため、上述した光ディスクが有する各種利益を享受することができる。
【０１５８】
また、上述の実施例では、情報記録媒体の一例として光ディスク１００及び情報記録再生装置の一例として光ディスク１００に係るレコーダ或いはプレーヤについて説明したが、本発明は、光ディスク及びそのレコーダに限られるものではなく、他の高密度記録或いは高転送レート対応の各種情報記録媒体並びにそのレコーダ或いはプレーヤにも適用可能である。
【０１５９】
本発明は、上述した実施例に限られるものではなく、請求の範囲及び明細書全体から読み取れる発明の要旨或いは思想に反しない範囲で適宜変更可能であり、そのような変更を伴う情報記録装置及び方法、情報再生装置及び方法、記録制御用又は再生制御用のコンピュータプログラム、並びに制御信号を含むデータ構造もまた本発明の技術的範囲に含まれるものである。
【図面の簡単な説明】
【０１６０】
【図１】本発明の情報記録媒体に係る実施例である光ディスクについて、上側に複数のエリアを有する光ディスクの構造を概略平面図で示すと共に、下側にその径方向におけるエリア構造を概念図で対応付けて示す説明図である。
【図２】本実施例に係る情報記録媒体上の論理的な記録領域を概念的に示す説明図である。
【図３】図２に示す論理的な記録領域を有する情報記録媒体を規定する論理的なデータ構造をより詳細に示すデータ構造図である。
【図４】図２に示す論理的な記録領域を有する光ディスクを規定する論理的なデータ構造であって、特にサブパーティションに係る論理的なデータ構造をより詳細に示すデータ構造図である。
【図５】サブパーティションの復旧（再構築）の態様を概念的に示す説明図である。
【図６】変形例に係る情報記録媒体を概念的に示す説明図である。
【図７】本発明の情報記録装置及び情報再生装置に係る実施例における情報記録再生装置及び、ホストコンピュータのブロック図である。
【図８】本実施例に係る情報記録再生装置の記録動作中におけるサブパーティションに記録されているファイルを概念的に示す一の説明図である。
【図９】本実施例に係る情報記録再生装置の記録動作中におけるサブパーティションに記録されているファイルを概念的に示す他の説明図である。
【符号の説明】
【０１６１】
１００  光ディスク
１１０  メインパーティション
１２０  ＦＳＤ
１２１  ポインタ情報
１５１  ファイルエントリＩＣＢ（サブＰ）
１５２  サブパーティション配置情報
２１０  サブパーティション
２２０  サブパーティションディスクリプタ
２２１  ポインタ情報
２２２  サブパーティション配置情報（コピー）
２２３  サブパーティション属性情報
２３０  ルートファイルエントリ（サブＰ）ＩＣＢ
２３１  フリースペースビットマップ
２４０  ルートファイルエントリ（サブＰ）
３００  情報記録再生装置
３５２  光ピックアップ
３５３  信号記録再生手段
３５４  ＣＰＵ
【図１】
2005353216.tif 000003
【図２】
2005353216.tif 000004
【図３】
2005353216.tif 000005
【図４】
2005353216.tif 000006
【図５】
2005353216.tif 000007
【図６】
2005353216.tif 000008
【図７】
2005353216.tif 000009
【図８】
2005353216.tif 000010
【図９】
2005353216.tif 000011